【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
周囲の状態を検出するための環境センサと、
データ記憶部を提供するメモリと、
時間を測定し、且つ、環境センサにて、周囲の状態の測定である環境測定を実行し、前記環境測定に基づいて、イベントが発生したときに、アラーム報知する論理回路と、
前記アラーム状態を表示するために、前記論理回路に接続されたインジケータ部と、
前記論理回路、及び、前記メモリのうちの少なくとも１つに、電力を供給するための電源と、
を備える電子機器アセンブリ。
【請求項２】
前記論理回路が、所定数の実行可能命令が記憶された制御回路である
請求項１に記載のアセンブリ。
【請求項３】
前記実行可能命令が、アセンブリに内蔵されたソフトウェアである
請求項２に記載のアセンブリ。
【請求項４】
前記アセンブリが、
前記制御回路により実行可能な前記所定数の命令を含む個別のメモリ、
を備える、請求項２に記載のアセンブリ。
【請求項５】
前記インジケータ部が、所定数のインジケータ要素を備えるディスプレイである
請求項１に記載のアセンブリ。
【請求項６】
前記インジケータ部が、電気化学的なインジケータ部である
請求項１に記載のアセンブリ。
【請求項７】
前記インジケータ部が、グラフィック・ディスプレイである
請求項１に記載のアセンブリ。
【請求項８】
前記インジケータ部が、グラフを表示する
請求項１に記載のアセンブリ。
【請求項９】
前記グラフが、電気化学的なインジケータ部にて形成される
請求項８に記載のアセンブリ。
【請求項１０】
前記アセンブリが、このアセンブリの起動手段を備える
請求項１に記載のアセンブリ。
【請求項１１】
前記起動手段が、タブを備え、
前記タブは、曲げられたときに電気回路を開く
請求項１０に記載のアセンブリ。
【請求項１２】
前記起動手段が、タブを備え、
前記タブは、破断されたときに電気回路を開く、
請求項１０に記載のアセンブリ。
【請求項１３】
前記起動手段が、無線信号を介して実現される
請求項１０に記載のアセンブリ。
【請求項１４】
前記アセンブリが、しきい値超過インジケータ部、しきい値未達インジケータ部、及び、しきい値内インジケータ部を備える
請求項１に記載のアセンブリ。
【請求項１５】
前記アセンブリが、前記メモリからデータを取得するために実行可能な命令を含む
請求項１に記載のアセンブリ。
【請求項１６】
前記アセンブリが、
前記環境センサ、メモリ、論理回路、インジケータ部、及び、電源を含む内側部と、
前記内側部を封入する封入材料を含む外側部と、
を備える請求項１に記載のアセンブリ。
【請求項１７】
前記外側部が、食品との接触に関する食品安全性基準を満たす材料から形成される
請求項１６に記載のアセンブリ。
【請求項１８】
前記外側部が、プラスチック材料から形成される
請求項１６に記載のアセンブリ。
【請求項１９】
前記外側部が、ビニル材料から形成される
請求項１６に記載のアセンブリ。
【請求項２０】
前記外側部が、紙材料から形成される
請求項１６に記載のアセンブリ。
【請求項２１】
前記外側部が、ポリスチレン材料から形成される
請求項１６に記載のアセンブリ。
【請求項２２】
前記アセンブリが、無線通信リンクを備える
請求項１に記載のアセンブリ。
【請求項２３】
前記実行可能命令が、前記無線通信リンクを介して変更可能である
請求項２２に記載のアセンブリ。
【請求項２４】
前記アセンブリの前記メモリにデータを記憶することが可能な
請求項１に記載のアセンブリ。
【請求項２５】
前記データが、前記無線通信リンクを介して変更可能である
請求項２４に記載のアセンブリ。
【請求項２６】
前記データが、消費者固有の情報である
請求項２５に記載のアセンブリ。
【請求項２７】
環境検出アセンブリであって、
環境検出部と、
前記環境検出部から環境検出情報を受信し、前記受信した検出情報に基づいて、動作すべきかを判断する論理回路と、
前記環境検出情報を、前記アセンブリから、前記アセンブリとは離れて配置された装置に送信するための無線通信リンクと、
を備える環境検出アセンブリ。
【請求項２８】
前記アセンブリが、無線送信機を介した無線通信が完了されうるまで、前記環境検出情報の少なくとも一部を記憶するためのメモリを備える
請求項２７に記載のアセンブリ。
【請求項２９】
前記アセンブリが、前記アセンブリの少なくとも１つの構成要素に電力を供給するための電源を備える
請求項２７に記載のアセンブリ。
【請求項３０】
前記アセンブリが、前記環境検出情報に基づいて状態を表示するための１つ以上のインジケータを備える
請求項２７に記載のアセンブリ。
【請求項３１】
前記１つ以上のインジケータが、オフ状態を有し、異なる起動状態を示す少なくとも２つの点滅状態を有する
請求項３０に記載のアセンブリ。
【請求項３２】
前記環境検出部が、湿度センサ、物理的位置を検出するセンサ、近接センサ、加速度センサ、大気圧センサ、分子化合物のセンサ、化学変化を検出するセンサ、衝撃センサ、振動センサ、光センサ、及びそれらの組合せを含むグループから選択された、１つ以上の検出素子を備える
請求項２７に記載のアセンブリ。
【請求項３３】
前記アセンブリが、前記環境検出情報を、前記アセンブリから、前記アセンブリとは離れて配置された装置に転送するために、電気的接続を形成するためのコンタクトパッドを備える
請求項２７に記載のアセンブリ。
【請求項３４】
前記アセンブリが、前記環境検出情報を、前記アセンブリから、前記アセンブリとは離れて配置された装置に送信するための通信ポートを備える
請求項２７に記載のアセンブリ。
【請求項３５】
前記アセンブリが、前記環境検出部、前記論理回路、及び、前記無線送信機を取り囲むパウチを備える
請求項２７に記載のアセンブリ。
【請求項３６】
前記アセンブリが、前記無線通信リンクを介して受信した実行可能命令を含む
請求項２７に記載のアセンブリ。
【請求項３７】
前記アセンブリが、前記無線通信リンクを介して、顧客固有の情報を有するデータを受信するための実行可能命令を含む
請求項２７に記載のアセンブリ。
【請求項３８】
前記アセンブリが、予め定められた時間間隔で環境測定を行うために、前記論理回路により実行されうる実行可能命令を含む
請求項２７に記載のアセンブリ。
【請求項３９】
前記論理回路により実行されうる前記実行可能命令が、所定数の環境測定値の平均を取る命令を含む
請求項２７に記載のアセンブリ。
【請求項４０】
前記アセンブリが、所定数の環境測定値の組にて算出された１つ以上の平均値を記憶するための、前記論理回路により実行されうる実行可能命令を含む
請求項２７に記載のアセンブリ。
【請求項４１】
前記アセンブリが、環境測定値が、予め定められた値の範囲内にある場合に、前記環境測定値を記憶するための、前記論理回路により実行されうる実行可能命令を含む
請求項２７に記載のアセンブリ。
【請求項４２】
前記アセンブリが、環境測定値が、予め定められた値の変動量の範囲外にある場合に、前記環境測定値を記憶するための、前記論理回路により実行されうる実行可能命令を含む
請求項２７に記載のアセンブリ。
【請求項４３】
前記パウチが、食品の安全性をモニタするために用いることができるよう、食品との接触に関する食品安全性基準を満たす
請求項２７に記載のアセンブリ。
【請求項４４】
ラベル材料上に環境検出部を形成することと、
前記環境検出部から環境検出情報を受信し、この受信した検出情報に基づいて動作すべきかを判断する論理回路を、前記ラベル材料上に形成することと、
前記検出部及び前記論理回路のうちの少なくとも１つに電力を供給するために前記ラベル材料上に電源を設けることと、
を含む方法。
【請求項４５】
前記方法が、
前記ラベルの第一の部分が、前記ラベルの第二の部分に接触して配置されたとき、前記ラベルを起動することを含む、
請求項４４に記載の方法。
【請求項４６】
前記環境検出部を形成することは、印刷処理により前記環境検出部を形成することにより実現される
請求項４４に記載の方法。
【請求項４７】
前記論理回路を形成することは、印刷処理により前記論理回路を形成することにより実現される
請求項４４に記載の方法。
【請求項４８】
前記電源を設けることは、印刷処理により前記ラベル材料上に前記電源を形成することにより実現される
請求項４４に記載の方法。
【請求項４９】
前記電源を設けることは、前記電源を前記ラベル材料に取り付けることにより実現される
請求項４４に記載の方法。
【請求項５０】
環境検出部を形成することと、
前記環境検出部から環境検出情報を受信し、この受信した検出情報に基づいて動作すべきかを判断する論理回路を形成することと、
前記検出部及び前記論理回路のうちの少なくとも１つに電力を供給するために電源を設けることと、
封入材料を備える環境検出アセンブリを形成するため、前記環境検出部、前記論理回路、及び前記電源を封入することと、
前記環境検出アセンブリに顧客固有の項目を追加することと、
を含む方法。
【請求項５１】
前記環境検出アセンブリに顧客固有の項目を追加することは、前記封入材料の外表面に顧客固有の項目を印刷することにより実現される
請求項５０に記載の方法。
【請求項５２】
前記環境検出アセンブリに顧客固有の項目を追加することは、項目のデータを提供することにより実現される
請求項５０に記載の方法。
【請求項５３】
提供される前記項目のデータは、前記受信した検出情報に基づいて動作すべきかを判断する際に、前記論理回路により用いられるデータを含む
請求項５２に記載の方法。
【請求項５４】
前記環境検出アセンブリに顧客固有の項目を追加することは、前記受信した検出情報に基づいて動作すべきかを判断する際に用いられる顧客固有の構成にて、前記論理回路を構成することにより実現される
請求項５０に記載の方法。
【手続補正２】
【補正対象書類名】明細書
【補正対象項目名】００８０
【補正方法】変更
【補正の内容】
【００８０】
図１１に示されているフロー図を説明する以下の処理方法の実施形態において、製造されたＰＣＡ７７は、装置７８と接触させられる。この接触において、電気的な接触が、１つ以上のテストプローブ８０を介して、１つ以上のパッド７９をテストするために生じうる。このプログラミング及びテスト装置７８は、パッド７９とプローブ８０との間の接触を通して、１つ以上のメモリをプログラミングし、アセンブリの機能をテストするために用いられうる。